(57)【要約】【課題】自然対流による冷房又は熱輻射による暖房を効率的に行なえる空調装置を提供する。【解決手段】管内を冷凍回路における液相冷媒Ｒの蒸発部又は気相冷媒Ｒの凝縮部とする伝熱管を並列配置して熱交換部５を形成し、この熱交換部５を縦姿勢で空調対象域に露出させる状態に配置して器体に装備することで、伝熱管の管内での冷媒蒸発に伴い熱交換部５で生じる冷気を空調対象域の低層部へ自然降下させる、又は、伝熱管の管内での冷媒凝縮に伴い熱交換部５から空調対象域における対向箇所へ熱輻射させる構成にする。【選択図】図１
2012017967.tif 000002
【特許請求の範囲】
【請求項１】
管内を冷凍回路における液相冷媒の蒸発部とする伝熱管を並列配置して熱交換部を形成し、
この熱交換部を縦姿勢で空調対象域に露出させる状態に配置して器体に装備することで、その器体を空調対象域に設置した状態において、前記伝熱管の管内での冷媒蒸発に伴い前記熱交換部で生じる冷気を空調対象域の低層部へ自然降下させる構成にしてある空調装置。
【請求項２】
管内を冷凍回路における気相冷媒の凝縮部とする伝熱管を並列配置して熱交換部を形成し、
この熱交換部を縦姿勢で空調対象域に露出させる状態に配置して器体に装備することで、その器体を空調対象域に設置した状態において、前記伝熱管の管内での冷媒凝縮に伴い前記熱交換部から空調対象域における対向箇所へ熱輻射させる構成にしてある空調装置。
【請求項３】
管内を冷凍回路における冷媒の流路とする伝熱管を並列配置して熱交換部を形成するとともに、
前記伝熱管の管内を前記冷凍回路における液相冷媒の蒸発部とする冷房運転状態と、前記伝熱管の管内を前記冷凍回路における気相冷媒の凝縮部とする暖房運転状態とに、前記冷凍回路の冷媒経路を切り換える切換手段を設け、
前記熱交換部を縦姿勢で空調対象域に露出させる状態に配置して器体に装備することで、その器体を空調対象域に設置した状態において、前記冷房運転状態では、前記伝熱管の管内での冷媒蒸発に伴い前記熱交換部で生じる冷気を空調対象域の低層部へ自然降下させ、
前記暖房運転状態では、前記伝熱管の管内での冷媒凝縮に伴い前記熱交換部から空調対象域における対向箇所へ熱輻射させる構成にしてある空調装置。
【請求項４】
前記伝熱管を縦管姿勢で並列配置して前記熱交換部を形成してある請求項１〜３のいずれか１項に記載の空調装置。
【請求項５】
前記伝熱管の長手方向に延びる熱良導材製の伝熱エレメントを前記伝熱管の外周に装着し、
この伝熱エレメントには、その横断面視において、前記伝熱管の外周に取り付ける本体部と、前記伝熱管の並び方向において間隔を空けた並列配置で前記本体部から空調対象域に向かって延びる複数の伝熱板とを設けてある請求項１〜４のいずれか１項に記載の空調装置。
【請求項６】
前記本体部の表裏一方の面部から空調対象域に向かって延びる表側の複数の前記伝熱板と、前記本体部の表裏他方の面部から表側の前記伝熱板とは逆向きで空調対象域に向かって延びる裏側の複数の前記伝熱板とを、前記本体部に設けてある請求項５記載の空調装置。
【請求項７】
前記本体部は、前記伝熱管の並び方向を板幅方向とする姿勢で前記伝熱管の外周に取り付ける板状本体部にし、
複数の前記伝熱板は、前記板状本体部から空調対象域に向かって平行姿勢で延びる状態に配設してある請求項５又は６記載の空調装置。
【請求項８】
前記板状本体部の板幅方向において前記伝熱管からの離間寸法が大きい前記伝熱板ほど空調対象域の側への延び寸法を小さくして、前記板状本体部に設けた複数の前記伝熱板の前記伝熱管から伝熱板先端までの前記板状本体部を通じた伝熱距離を均等化してある請求項７記載の空調装置。
【請求項９】
複数の前記伝熱板は、前記本体部から空調対象域に向かって放射状に延びる状態に配設してある請求項５又は６記載の空調装置。
【請求項１０】
前記伝熱管の長手方向に延びる熱良導材製の伝熱エレメントを前記伝熱管の外周に装着し、
この伝熱エレメントには、その横断面視において、前記伝熱管の外周に取り付ける本体部と、前記伝熱管の並び方向において間隔を空けた並列配置で前記本体部から空調対象域に向かって延びる複数の熱伝導板と、これら複数の熱伝導板の先端どうしにわたる輻射促進用伝熱板とを設けてある請求項１〜４のいずれか１項に記載の空調装置。
【請求項１１】
前記伝熱エレメントは複数の分割部からなり、それら分割部の本体部形成部分どうしの間に前記伝熱管を挟んだ状態で前記伝熱管の外周に装着する構造にしてある請求項５〜１０のいずれか１項に記載の空調装置。
【発明の詳細な説明】
【技術分野】
【０００１】
本発明は熱交換器を用いた空調装置に関する。
【背景技術】
【０００２】
ファンなどの送風による強制気流を生じることがなく、在室者に快適な室内環境を提供できる空調装置が提案されている。この種の空調装置では、パネル状あるいは環状の熱交換器に冷水や温水を通水することで、熱交換器からの自然対流や熱輻射により冷暖房を行なっている。このような熱交換器を用いた空調装置としては特許文献１に記載の空調装置が挙げられる。
【先行技術文献】
【特許文献】
【０００３】
【特許文献１】特開２００６−２０７８５７号公報
【発明の概要】
【発明が解決しようとする課題】
【０００４】
特許文献１に記載の空調装置では、冷温水の供給により、熱交換器からの自然対流や熱輻射による室内の冷暖房を行なっているが、環境問題を考えると、より効率のよい自然対流や熱輻射を生じさせて効率的な冷暖房を行なえる空調装置が必要となる。
本発明は、自然対流や熱輻射を効率的に行なえる空調装置を提供することを、その目的とする。
【課題を解決するための手段】
【０００５】
本発明の第１特徴構成は空調装置に係り、その特徴は、
管内を冷凍回路における液相冷媒の蒸発部とする伝熱管を並列配置して熱交換部を形成し、
この熱交換部を縦姿勢で空調対象域に露出させる状態に配置して器体に装備することで、その器体を空調対象域に設置した状態において、前記伝熱管の管内での冷媒蒸発に伴い前記熱交換部で生じる冷気を空調対象域の低層部へ自然降下させる構成にしてある点にある。
【０００６】
つまり、この構成によれば、伝熱管の管内を冷凍回路における液相冷媒の蒸発部として、液相冷媒の管内蒸発に伴う気化熱奪取により伝熱管を冷却するから、そのような相変化を伴わない冷水を熱交換器に通水するだけの従来装置に比べ、一層効率的にかつ一層低温に伝熱管を冷却することができ、これにより、並列配置の伝熱管からなる熱交換部において効率良く冷気を生じさせることができる。
【０００７】
そして、この熱交換部を縦姿勢で空調対象域に露出させる状態に配置して器体に装備するから、その器体を空調対象域に設置した状態において、上記の如く熱交換部で効率良く生じさせる冷気を縦姿勢の熱交換部に沿う状態での自然降下により効率的に空調対象域の低層部に導いて、その冷気を空調対象域の低層部から中層部に掛けて溜め置く形態での冷房（即ち、在域者に強制的な冷気流を感じさせない快適な冷房）を効率良く実現することができる。
【０００８】
また、上記の如く熱交換部において冷気を効率良く生じさせ得ることで、従来装置に比べ冷房の立ち上がり性も一層高くすることができる。
【０００９】
本発明の第２特徴構成は空調装置に係り、その特徴は、
管内を冷凍回路における気相冷媒の凝縮部とする伝熱管を並列配置して熱交換部を形成し、
この熱交換部を縦姿勢で空調対象域に露出させる状態に配置して器体に装備することで、その器体を空調対象域に設置した状態において、前記伝熱管の管内での冷媒凝縮に伴い前記熱交換部から空調対象域における対向箇所へ熱輻射させる構成にしてある点にある。
【００１０】
つまり、この構成によれば、伝熱管の管内を冷凍回路における気相冷媒の凝縮部として、気相冷媒の管内凝縮に伴う凝縮熱放出により伝熱管を加熱するから、そのような相変化を伴わない温水を熱交換器に通水するだけの従来装置に比べ、一層効率的にかつ一層高温に伝熱管を加熱することができ、これにより、並列配置の伝熱管からなる熱交換部において熱輻射を効率良く生じさせることができる。
【００１１】
そして、この熱交換部を縦姿勢で空調対象域に露出させる状態に配置して器体に装備するから、その器体を空調対象域に設置した状態において、上記の如く熱交換部で効率良く生じさせる熱輻射により空調対象域における対向箇所に対して輻射による暖房（即ち、在域者に強制的な暖気流を感じさせない快適な暖房）を効率良く施すことができる。
【００１２】
また、上記の如く熱交換部において熱輻射を効率良く生じさせ得ることで、従来装置に比べ輻射暖房の立ち上がり性も一層高くすることができる。
【００１３】
本発明の第３特徴構成は空調装置に係り、その特徴は、
管内を冷凍回路における冷媒の流路とする伝熱管を並列配置して熱交換部を形成するとともに、
前記伝熱管の管内を前記冷凍回路における液相冷媒の蒸発部とする冷房運転状態と、前記伝熱管の管内を前記冷凍回路における気相冷媒の凝縮部とする暖房運転状態とに、前記冷凍回路の冷媒経路を切り換える切換手段を設け、
前記熱交換部を縦姿勢で空調対象域に露出させる状態に配置して器体に装備することで、その器体を空調対象域に設置した状態において、前記冷房運転状態では、前記伝熱管の管内での冷媒蒸発に伴い前記熱交換部で生じる冷気を空調対象域の低層部へ自然降下させ、
前記暖房運転状態では、前記伝熱管の管内での冷媒凝縮に伴い前記熱交換部から空調対象域における対向箇所へ熱輻射させる構成にしてある点にある。
【００１４】
つまり、この構成によれば、切換手段により冷凍回路における冷媒経路を切り換えて冷房運転状態にすることにより、第１特徴構成の空調装置と同様の冷房を実現することができ、また、切換手段により冷凍回路における冷媒経路を切り換えて暖房運転状態にすることにより、第２特徴構成の空調装置と同様の暖房を実現することができる。
【００１５】
即ち、切換手段による切り換えだけで、冷気を空調対象域の低層部から中層部に掛けて溜め置く形態での快適かつ効率の良い冷房と、空調対象域における対向箇所に対する快適かつ効率の良い輻射暖房とを、空調対象域の域内状況や在域者の体感等に応じて選択的に実現することができる。
【００１６】
本発明の第４特徴構成は、第１〜第３特徴構成のいずれかの実施に好適な構成であり、その特徴は、
前記伝熱管を縦管姿勢で並列配置して前記熱交換部を形成してある点にある。
【００１７】
つまり、従来装置と同様に冷水や温水を伝熱管に通水する場合には、伝熱管を縦管姿勢に配置しても横管姿勢に配置しても冷暖房性能上で大差はないが、第１〜第３特徴構成の如く伝熱管の管内で冷凍回路における冷媒を相変化させる場合には、上記の如く伝熱管を縦管姿勢で並列配置して熱交換部を形成することで、次の効果を得ることができる。
【００１８】
すなわち、管内で冷媒を相変化させる伝熱管を横管姿勢に配置する場合では、その相変化が液相冷媒の蒸発及び気相冷媒の凝縮のいずれの場合であっても、伝熱管の横断面視で管内が液相冷媒の溜まり域と、蒸発過程又は凝縮過程にある湿り冷媒蒸気及び気相冷媒の充満域とに二分される状態が伝熱管の長手方向に連続し、この為、伝熱管の管周方向において液相冷媒の溜まり域に接する管壁部分と湿り冷媒蒸気及び気相冷媒の充満域に接する管壁部分とで冷媒による冷却状態や加熱状態が異なって、伝熱管の管周方向で管の冷却状態や加熱状態にムラのある状態が伝熱管の長手方向に連続する。
【００１９】
これに対し、上記の如く伝熱管を縦管姿勢で並列配置して熱交換部を形成すれば、各伝熱管の下端部は液相冷媒の溜まり部になるとしても、管長手方向における下端部以外の大きな部分について伝熱管の管内を湿り冷媒蒸気と気相冷媒との充満域のみにすることができ、これにより、管の冷却状態や加熱状態が管周方向で均一な部分を伝熱管の長手方向において大きく確保することができる。
【００２０】
即ち、このことで、伝熱管の並列配置により形成する熱交換部の全体について冷気や熱輻射の発生状態を均一化することでき、これにより、伝熱管の管内で冷媒を相変化させる方式を採りながらも、冷気の自然降下による冷房ないし熱輻射による暖房の均一性も高くすることができる。
【００２１】
本発明の第５特徴構成は、第１〜第４特徴構成のいずれかの実施に好適な構成であり、その特徴は、
前記伝熱管の長手方向に延びる熱良導材製の伝熱エレメントを前記伝熱管の外周に装着し、
この伝熱エレメントには、その横断面視において、前記伝熱管の外周に取り付ける本体部と、前記伝熱管の並び方向において間隔を空けた並列配置で前記本体部から空調対象域に向かって延びる複数の伝熱板とを設けてある点にある。
【００２２】
つまり、この構成によれば、並列配置の伝熱板により器体の大型化を伴うことなく熱交換部の伝熱面積を大きく確保することができて、熱交換部での冷気や熱輻射の発生効率を高めることができ、これにより、冷気の自然降下による冷房ないし熱輻射による暖房を一層効率良く実現することができる。
【００２３】
そしてまた、熱交換部で冷気を生じさせる場合（即ち、第１，第３特徴構成の実施）において、伝熱管を縦管姿勢で並列配置して熱交換部を形成する上記構成を採れば、並列配置の伝熱板も縦板姿勢になることで、熱交換部での発生冷気を縦板姿勢の伝熱板による案内により、それら縦板姿勢の伝熱板どうしの間の間隔を通じて下方へ整流化した状態で円滑に自然降下させることができ、これにより、下降冷気を空調対象域の低層部から中層部に掛けて溜め置く形態での冷房を一層安定的な状態で良好に実現することができる。
【００２４】
本発明の第６特徴構成は、第５特徴構成の実施に好適な構成であり、その特徴は、
前記本体部の表裏一方の面部から空調対象域に向かって延びる表側の複数の前記伝熱板と、前記本体部の表裏他方の面部から表側の前記伝熱板とは逆向きで空調対象域に向かって延びる裏側の複数の前記伝熱板とを、前記本体部に設けてある点にある。
【００２５】
つまり、この構成によれば、本体部の表裏一方の面部に設けた表側の伝熱板により熱交換部の表裏一方側で冷気や熱輻射を効率的に生じさせて、熱交換部の表裏一方側に位置する空調対象域に冷房や暖房を施すのに併行して、本体部の表裏他方の面部に設けた裏側の伝熱板により熱交換部の表裏他方側でも冷気や熱輻射を効率的に生じさせて、熱交換部の表裏他方側に位置する空調対象域にも冷房や暖房を施すことができる。
【００２６】
即ち、空調対象域の一方の域部分と他方の域部分との境界部に１つの器体を設置するだけで、一方の域部分と他方の域部分との両方に対して、冷気の自然降下による冷房ないし熱輻射による暖房を効率良く施すことができ、この点で有用性に一層優れた空調装置にすることができる。
【００２７】
本発明の第７特徴構成は、第５又は第６特徴構成の実施に好適な構成であり、その特徴は、
前記本体部は、前記伝熱管の並び方向を板幅方向とする姿勢で前記伝熱管の外周に取り付ける板状本体部にし、
複数の前記伝熱板は、前記板状本体部から空調対象域に向かって平行姿勢で延びる状態に配設してある点にある。
【００２８】
つまり、この構成によれば、伝熱エレメントにおける本体部を伝熱管の並び方向が板幅方向となる姿勢で伝熱管の外周に取り付ける板状本体部にするから、その板状本体部に設ける複数の伝熱板とともに板状本体部によっても熱交換部の伝熱面積を大きく確保することができ、これにより、熱交換部での冷気や熱輻射の発生効率を一層効果的に高めることができる。
【００２９】
また、複数の伝熱板を空調対象域に向かって平行姿勢で延びるものにするから、隣り合う伝熱管どうしの間への冷温熱の無駄な供給を抑止して、熱交換部が対向する空調対象域に対して冷気の自然降下による冷房や熱輻射による暖房を一層効率良く施すことができる。
【００３０】
本発明の第８特徴構成は、第７特徴構成の実施に好適な構成であり、その特徴は、
前記板状本体部の板幅方向において前記伝熱管からの離間寸法が大きい前記伝熱板ほど空調対象域の側への延び寸法を小さくして、前記板状本体部に設けた複数の前記伝熱板の前記伝熱管から伝熱板先端までの前記板状本体部を通じた伝熱距離を均等化してある点にある。
【００３１】
つまり、この構成によれば、上記の如く伝熱管から各伝熱板の先端までの伝熱距離を均等化することで、伝熱管からの伝熱により冷却又は加熱される各伝熱板の先端温度（換言すれば、各伝熱板の先端を結ぶ包絡線で表される熱交換部表面部の温度）を均一化することができ、これにより、冷気の自然降下による冷房ないし熱輻射による暖房の均一性を高くすることができる。
【００３２】
本発明の第９特徴構成は、第５又は第６特徴構成の実施に好適な構成であり、その特徴は、
複数の前記伝熱板は、前記本体部から空調対象域に向かって放射状に延びる状態に配設してある点にある。
【００３３】
この構成によれば、複数の伝熱板を空調対象域に向かって放射状に延びるものにするから、伝熱板どうしの間の間隔の空調対象域に対する開口向きも伝熱板群の全体として放射状になり、これにより、空調対象域に対する冷気供給の方向や熱輻射の方向に拡がりを持たせることができて、冷気の自然降下による冷房や熱輻射による暖房を空調対象域に対して広く施すことができる。
【００３４】
本発明の第１０特徴構成は、第１〜第４特徴構成のいずれかの実施に好適な構成であり、その特徴は、
前記伝熱管の長手方向に延びる熱良導材製の伝熱エレメントを前記伝熱管の外周に装着し、
この伝熱エレメントには、その横断面視において、前記伝熱管の外周に取り付ける本体部と、前記伝熱管の並び方向において間隔を空けた並列配置で前記本体部から空調対象域に向かって延びる複数の熱伝導板と、これら複数の熱伝導板の先端どうしにわたる輻射促進用伝熱板とを設けてある点にある。
【００３５】
この構成によれば、冷気の自然降下による冷房を行なう場合では、本体部と隣り合う熱伝導板と輻射促進用伝熱板とにより囲まれた空間において、冷気を効率良く生じさせることができるとともに、その空間を通じて発生冷気を下方へ整流化した状態で円滑に自然降下させることができ、これにより、下降冷気を空調対象域の低層部から中層部に掛けて溜め置く形態での冷房を一層効率的にかつ一層安定的な状態で良好に実現することができる。
【００３６】
また、熱輻射による暖房を行なう場合では、複数の熱伝導板の先端どうしにわたる輻射促進用伝熱板の表側板面の全体から空調対象域に向けて効率的に熱輻射させ得ることで、空調対象域の対向箇所に対する熱交換部からの熱輻射を効率的かつ均一なものにすることができ、さらには、本体部と隣り合う熱伝導板と輻射促進用伝熱板とにより囲まれた空間において煙突効果により暖気の上昇を促進することもでき、これらのことにより、熱輻射と熱対流とをもって暖房を一層効率的に実現することができる。
【００３７】
本発明の第１１特徴構成は、第５〜第１０特徴構成のいずれかの実施に好適な構成であり、その特徴は、
前記伝熱エレメントは複数の分割部からなり、それら分割部の本体部形成部分どうしの間に前記伝熱管を挟んだ状態で前記伝熱管の外周に装着する構造にしてある点にある。
【００３８】
つまり、この構成によれば、本体部に形成した挿通孔部に伝熱管を圧入して伝熱エレメントを伝熱管の外周に装着する構成に比べ、伝熱管の外周に対する伝熱エレメントの装着を容易にすることができる。
【００３９】
また、この構成によれば、伝熱エレメントを伝熱管に対して着脱自在にして伝熱エレメントの清掃等を容易にする構成や伝熱エレメントの伝熱管に対する装着姿勢を伝熱管周りで変更可能にして伝熱板の延出向きを伝熱管周りで変更できるようにする構成なども容易に採ることができる。
【図面の簡単な説明】
【００４０】
【図１】本発明に係る空調装置の概略構成を示す斜視図
【図２】第１実施形態に係る伝熱エレメントを示す一部破断斜視図及び分解斜視図
【図３】第１実施形態に係る伝熱エレメントの分解横断面図
【図４】第２実施形態に係る伝熱エレメントを示す一部破断斜視図及び分解斜視図
【図５】第２実施形態に係る伝熱エレメントの分解横断面図
【図６】第３実施形態に係る伝熱エレメントを示す一部破断斜視図及び分解斜視図
【図７】第３実施形態に係る伝熱エレメントの分解横断面図
【図８】第４実施形態に係る伝熱エレメントの横断面図
【発明を実施するための形態】
【００４１】
〔第１実施形態〕
図１は、本発明による空調装置の一例を示し、この空調装置１は空調対象域である室内に設置する室内機２と室外に設置する室外機３とを備えている。
【００４２】
室内機２は器体４と熱交換部５とを備えており、この熱交換部５は縦姿勢で室内に露出させる状態に配置して器体４に装備してある。
【００４３】
室外機３には、圧縮機と凝縮器と膨張弁と蒸発器とにわたって冷媒Ｒを循環させる冷凍回路の主要部を装備してあり、この室外機３と室内機２とは冷凍回路における冷媒経路の一部を形成する冷媒往還用の冷媒路６で接続してある。
【００４４】
室内機２の器体４に装備する熱交換部５は、管内を冷凍回路における冷媒Ｒの流路とする銅製の伝熱管７（図２参照）を縦管姿勢で横一列に並列配置して形成してあり、そして、この空調装置１には、熱交換部５を形成する複数の伝熱管７の管内を冷凍回路における液相冷媒Ｒの蒸発部（即ち、蒸発器）とする冷房運転状態と、これら伝熱管７の管内を冷凍回路における気相冷媒Ｒの凝縮部（即ち、凝縮器）とする暖房運転状態とに、冷凍回路の冷媒経路を切り換える切換手段を備えさせてある。
【００４５】
つまり、この空調装置１では、室内機２の器体４を室内に設置した状態において、冷房運転状態では、伝熱管７の管内での冷媒蒸発に伴い熱交換部５で生じる冷気を室内の低層部へ自然降下させ、これにより、その冷気を室内の低層部から中層部に掛けて溜め置く形態での冷房を実現する。
【００４６】
また、暖房運転状態では、伝熱管７の管内での冷媒凝縮に伴い熱交換部５から室内における対向箇所へ熱輻射させ、これにより、室内者に対して熱輻射による暖房を施す。
【００４７】
熱交換部５を形成する各伝熱管７の外周には、熱良導材製（本例ではアルミ製）の伝熱エレメント８を伝熱管長手方向のほぼ全長にわたって装着してあり、この伝熱エレメント８には、図２，図３に示す如く、その横断面視において、伝熱管７の外周に取り付ける本体部８ａと、伝熱管７の並び方向において間隔ｓを空けた並列配置で本体部８ａから室内に向かって延びる複数の伝熱板８ｂ（換言すれば、吸放熱板）とを設けてある。
【００４８】
即ち、この伝熱エレメント８を各伝熱管７の外周に装着することにより、熱交換部５の実質的な伝熱面積を大きく確保して、熱交換部５での冷気や熱輻射の発生効率を高めるようにしてある。
【００４９】
また、冷房運転では、熱交換部５での発生冷気を縦板姿勢の伝熱板８ｂによる案内により伝熱板８ｂどうしの間の間隔ｓを通じて下方へ整流化した状態で円滑に自然降下させるようにしてある。
【００５０】
さらに具体的には、伝熱エレメント８の本体部８ａは、伝熱管７の並び方向を板幅方向とする姿勢で伝熱管７の外周に取り付ける板状本体部にし、また、複数の伝熱板８ｂは、板状本体部８ａから室内に向かって平行姿勢で延びる状態に配設してあり、これにより、熱交換部５での冷気や熱輻射の発生効率を一層効果的に高めるとともに、隣り合う伝熱管７どうしの間への冷温熱の無駄な供給を抑止して、熱交換部５が対向する室内に対して冷気の自然降下による冷房や熱輻射による暖房を一層効率良く施すようにしてある。
【００５１】
また、図３の（ａ）あるいは（ｂ）に示す如く、板状本体部８ａの板幅方向において伝熱管７からの離間寸法が大きい伝熱板８ｂほど室内の側への延び寸法を小さくして、板状本体部８ｂに設けた複数の伝熱板８ｂの伝熱管７から伝熱板先端までの板状本体部８ａを通じた伝熱距離を均等化し、これにより、伝熱管７からの伝熱により冷却又は加熱される各伝熱板８ｂの先端温度を均一化して、冷気の自然降下による冷房ないし熱輻射による暖房の均一性を高くするようにしてある。
【００５２】
伝熱エレメント８は、それぞれ伝熱板８ｂを備える同構造の２つの分割部８Ａ，８Ｂからなる二分割構造にして、これら分割部８Ａ，８Ｂの本体形成部分どうしの間に伝熱管７を嵌合状態に挟み込んで伝熱管７の外周に装着する構造にしてあり、これにより、伝熱エレメント８を伝熱管７の外周に装着した状態では、本体部８ａの表裏一方の面部から室内に向かって延びる表側の複数の伝熱板８ｂと、本体部８ａの表裏他方の面部から表側の伝熱板８ｂとは逆向きで室内に向かって延びる裏側の複数の伝熱板８ｂとを本体部８ａに設けた構成になるようにしてある。
【００５３】
即ち、この構成により、室内における一方の室内部分と他方の室内部分との境界部に１つの室内機２を設置することで、一方の室内部分と他方の室内部分との両方に対して、冷気の自然降下による冷房や熱輻射による暖房を効率良く施すことができるようにしてある。
【００５４】
〔第２実施形態〕
図４，図５は伝熱管７の外周に装着する伝熱エレメント８を改変した第２実施形態を示し、この第２実施形態の伝熱エレメント８では、第１実施形態で示した伝熱エレメントとの相違点として、複数の伝熱板８ｂを本体部８ａから室内に向かって放射状に延びる状態に配設してある。
【００５５】
即ち、この第２実施形態の伝熱エレメント８を採用すれば、伝熱板８ｂどうしの間の間隔ｓの室内に対する開口向きが伝熱板群の全体として放射状になることで、室内に対する冷気供給の方向や熱輻射の方向に拡がりを持たせることができ、これにより、冷気の自然降下による冷房や熱輻射による暖房を室内に対して広く施すことができる。
【００５６】
なお、この第２実施形態の空調装置においても、第１実施形態の空調装置と同様、室内における一方の室内部分と他方の室内部分との境界部に１つの室内機２を設置することで、一方の室内部分と他方の室内部分との両方に対して、冷気の自然降下による冷房や熱輻射による暖房を効率良く施すことができる。
【００５７】
〔第３実施形態〕
図６，図７は伝熱管７の外周に装着する伝熱エレメント８を改変した第３実施形態を示し、この第３実施形態の伝熱エレメント８では、第１実施形態で示した伝熱エレメントとの相違点として、室内に向かって開口する隙間ｓを形成する状態の伝熱板８ｂを設けるのに代え、伝熱管７の並び方向において間隔ｓ′を空けた並列配置で本体部８ａから室内に向かって延びる複数の熱伝導板８ｃと、これら複数の熱伝導板８ｃの先端どうしにわたる弧状の輻射促進用伝熱板８ｄとを設けてある。
【００５８】
即ち、この第３実施形態の伝熱エレメント８を採用すれば、冷気の自然降下による冷房を行なう場合では、本体部８ａと隣り合う熱伝導板８ｃと輻射促進用伝熱板８ｄとにより囲まれた空間ｓ′（換言すれば、隣り合う熱伝導板８ｃの間の間隔により形成される空間）において、冷気を効率良く生じさせることができるとともに、その空間を通じて発生冷気を下方へ整流化した状態で円滑に自然降下させることができる。
【００５９】
また、熱輻射による暖房を行なう場合では、複数の熱伝導板８ｃの先端どうしにわたる輻射促進用伝熱板８ｄの表側板面の全体から室内に向けて効率的に熱輻射させることができて、室内の対向箇所に対する熱交換部５からの熱輻射を効率的かつ均一なものにすることができ、さらには、本体部８ａと隣り合う熱伝導板８ｃと輻射促進用伝熱板８ｄとにより囲まれた空間ｓ′において煙突効果により暖気の上昇を促進することもでき、これらのことにより、熱輻射と熱対流とをもって暖房を一層効率的に実現することができる。
【００６０】
輻射促進用伝熱板８ｄは横断面形状が弧状のものに限らず、横断面形状が直線状のものや蛇行状のものにしてもよい。
【００６１】
なお、この第３特徴構成の空調装置においても、第１，２実施形態の空調装置と同様、室内における一方の室内部分と他方の室内部分との境界部に１つの室内機２を設置することで、一方の室内部分と他方の室内部分との両方に対して、冷気の自然降下による冷房や熱輻射による暖房を効率良く施すことができる。
【００６２】
〔第４実施形態〕
図８は伝熱エレメント８の改変した第４実施形態を示し、前述の第１〜第３実施形態では、いずれも伝熱エレメント８を二分割構成にした例を示したが、この第４実施形態では、同図８の（ａ）や（ｂ）に示す如く、一体構成の伝熱エレメント８において、本体部８ａの表裏一方の面部から室内に向かって延びる表側の複数の伝熱板８ｂと、本体部８ａの表裏他方の面部から表側の前記伝熱板とは逆向きで室内に向かって延びる裏側の複数の伝熱板８ｂとを本体部８ａに設けてある。
【００６３】
そして、この伝熱エレメント８の本体部８ａに形成した挿通孔部８ｅに伝熱管７を圧入することで、伝熱エレメント８を伝熱管７の外周に装着する構成にしてある。
【００６４】
その他は、第２，第３実施形態と同様である。
【００６５】
なお、図８の（ａ），（ｂ）に示す伝熱エレメント８の他、図３に示した第１実施形態の伝熱エレメント８について同様の一体構成を採用してもよい。
【００６６】
〔別実施形態〕
次にその他の実施形態を列記する。
【００６７】
前述の各実施形態では、縦姿勢で室内に露出させる状態に器体４に装備する熱交換部５を縦管姿勢の伝熱管７の並列配置により形成する例を示したが、場合によっては、横管姿勢や斜め管姿勢の伝熱管７を並列配置することで熱交換部５を形成するようにしてもよい。
【００６８】
熱交換部５を縦姿勢で室内に露出させる状態に装備したる器体４は、床置き式のものに限らず、壁掛け式や天井吊り式の器体４にしてもよい。
【００６９】
器体４の構造も前述の実施形態で示した構造に限らず、本発明の実施において種々の構造変更が可能である。
【００７０】
伝熱管７の外周に装着する伝熱エレメント８は、前述の各実施形態で示した構造のものに限らず、本発明の実施において種々の構造変更が可能であり、例えば、伝熱管７に取り付ける本体部８ａの表裏一方側にのみ複数の伝熱板８ｂ、あるいは、複数の熱伝導板８ｃとそれらの先端どうしにわたる輻射促進用伝熱板８ｄを設ける構成にするなどしてもよい。
【００７１】
また、伝熱管７の外周に伝熱エレメント８を装着するのに限らず、伝熱管７の表面に伝熱部を一体形成してもよく、あるいはまた、伝熱エレメント８を装着しない伝熱管７の並列配置により熱交換部５を形成するようにしてもよい。
【００７２】
本発明の空調装置により冷房や暖房を施す空調対象域は一般居室に限らず、製造室、工場、医療用室、保冷庫あるいは野菜等の栽培に用いる屋内空間など、どのような用途のものであってもよい。
【産業上の利用可能性】
【００７３】
本発明による空調装置は各種分野における種々の用途の空調対象域を冷房又は暖房するのに使用することができ、殊に、ファンによる強制気流が望ましくない空調対象域を冷房又は暖房するのに好適である。
【符号の説明】
【００７４】
Ｒ          冷媒
７          伝熱管
５          熱交換部
４          器体
８          伝熱エレメント
８ａ        本体部
ｓ，ｓ′    間隔
８ｂ        伝熱板
８ｃ        熱伝導板
８ｄ        輻射促進用伝熱板
８Ａ，８Ｂ  分割部
【図１】
2012017967.tif 000003
【図２】
2012017967.tif 000004
【図３】
2012017967.tif 000005
【図４】
2012017967.tif 000006
【図５】
2012017967.tif 000007
【図６】
2012017967.tif 000008
【図７】
2012017967.tif 000009
【図８】
2012017967.tif 000010